(57)【要約】【課題】本発明は、ジッパー及びスライダーとを含んでいる再閉式バッグに高圧を作用する高圧低温殺菌のような用途に使用するスライダー用のスリーブカバーに関するものである。【解決手段】スリーブカバー（１０）は、スライダー（１００）に成形あるいは取り付けられていて、バッグのフィルムが、スライダー（１００）とジッパーとの間のすき間を圧縮しふさぐことを、従って変形しあるいは破断することを防止するようになっている。【選択図】図２
2006175224.tif 000002
【特許請求の範囲】
【請求項１】
ジッパー式のスライダー用のスリーブカバーであって、
前記スライダーを囲んでいる側面に沿った上面と、前記側面の端部に沿って内向きにフランジの付いた下面と、を具備するジッパー式のスライダー用のスリーブカバー。
【請求項２】
前記スリーブカバーの端部が開口していて、内向きにフランジの付いた端面が前記上面と前記側面とから前記端部の内側へ向けて延伸している、請求項１に記載のジッパー式のスライダー用のスリーブカバー。
【請求項３】
前記スリーブカバーがジッパー式のスライダーをおおって成形されている、請求項１に記載のジッパー式のスライダー用のスリーブカバー。
【請求項４】
前記スリーブカバーがジッパー式のスライダーに接着されている、請求項１に記載のジッパー式のスライダー用のスリーブカバー。
【請求項５】
前記スリーブカバーが、前記ジッパー式のスライダーを含んでいる再閉式バッグの中味を高圧低温殺菌している間使用されている、請求項１に記載のジッパー式のスライダー用のスリーブカバー。
【請求項６】
ジッパー式のスライダーとスリーブカバーとの組立体であって、
前記スリーブカバーが、前記スライダーを囲んでいる側面に沿った上面と、前記側面の端部に沿って内向きにフランジの付いた下面と、を具備するジッパー式のスライダーとスリーブカバーとの組立体。
【請求項７】
前記スリーブカバーの端部が開口していて、内向きにフランジの付いた端面が前記上面と前記側面とから前記端部の内側へ向けて延伸している、請求項６に記載の組立体。
【請求項８】
前記スリーブカバーがジッパー式のスライダーをおおって成形されている、請求項６に記載の組立体。
【請求項９】
前記スリーブカバーがジッパー式のスライダーに接着されている、請求項６に記載の組立体。
【請求項１０】
前記スリーブカバーが、前記ジッパー式のスライダーを含んでいる再閉式バッグの中味を高圧低温殺菌している間使用されている、請求項６に記載の組立体。
【発明の詳細な説明】
【技術分野】
【０００１】
本発明は、ジッパー及びスライダーとを含んでいる再閉式バッグに高圧を作用する高圧低温殺菌のような用途に使用するスライダー用のスリーブカバーに関するものである。スリーブカバーは、スライダーに成形あるいは取り付けられていて、バッグのフィルムが、スライダーとジッパーとの間のすき間を圧縮しふさぐことを、従って変形しあるいは破断することを防止するようになっている。
【背景技術】
【０００２】
従来技術において、フィルムおよびウェブで作られた面を備え、かつスライダー付きジッパーを含んでいる再閉式バッグは周知である。しかしながら、プラスチックフィルムあるいはウェブの耐熱性が劣るために、とくに肉の包装業界におけるバッグの消毒あるいは殺菌には問題があった。完成し中味の詰まったバッグが圧力容器の中に置かれ、約２．４８×１０5kPa（約３６，０００psi）の圧力に数分さらされる高圧低温殺菌（ＨＰＰ）には、この問題はなかった。しかしながら、高圧低温殺菌は、プラスチックフィルム又はウェブがスライダーとジッパーとの間のすき間に押し込まれ、そして変形、締め付けられあるいは破裂されるような用途において問題となる。特に、食料業界が当面している薄利状況下においては、包装の損傷の増加は重大問題である。
【発明の開示】
【発明が解決しようとする課題】
【０００３】
従って、本発明の目的は、高圧低温殺菌中におけるフィルム又はウェブがスライダーとジッパー異形材との間のすき間に押しつけられることによる、再閉式バッグのフィルム又はウェブにおける変形、締め付け、破裂を防止することである。
従って、本発明のさらなる目的は、前述の目的を低コストで達成することである。
【課題を解決するための手段】
【０００４】
これらの目的及び他の目的は、高圧低温殺菌に先立ってジッパー式のスライダーに成形、接着あるいは他の方法で取り付けられる中程度の柔かさのスリーブカバーを提供することにより達成される。高圧低温殺菌中に、フィルムはスリーブカバーに押し付けられ、従って形状が変化する。スリーブカバーはスライダーとジッパーとの間のすき間をふさぎさらにスライダーのいずれのすき間をもふさぎ、フィルムがこれらのすき間の中に押し込まれることを、従って変形し破裂することを防止するようになっている。
【０００５】
本発明のさらなる目的及び利点は、以下の説明と添付図面とから理解される。
【発明を実施するための最良の形態】
【０００６】
図面を通して同一部品には同一符号が付番されている。図１は、異形材２０２，２０４で形成されたジッパー２００（一点鎖線で図示）を備えた、従来技術におけるスライダー１００の斜視図である。スライダー１００と異形材２００との間に高圧低温殺菌時に非常に問題となるすき間があって、他のすき間はスライダー自体に形成されている。これらの他のすき間も同様に問題となるかも知れない。
【０００７】
図２は、スライダー１００をおおって形成されている。中程度の柔かさの材料製カバー１０を図示している。スリーブカバー１０はシリコンのような中程度の柔かさの材料で作られていてもよい。しかしながら、当業者においては同等品を理解できるだろう。一般に消費者へ出荷する前に、スリーブカバー１０は製作中にスライダー１００をおおって成形されるか、又は接着剤あるいは他の取り付け方法により取り付けられる。しかしながら、ある用途においては、スライダー１００へのスリーブカバー１０の組立は消費者の現場で行なわれるかも知れない。
【０００８】
スリーブカバー１０は、丸味をおびた側面１４，１６に滑らかに移行する、丸味をおびた上面１２を含んでいる。スリーブカバー１０の端部１８，２０は、ジッパー２００の走行を可能にするべく開口している。しかしながら、内向きにフランジの付いた面２４が上面１２と丸味をおびた側面１４，１６とからスライダー１００を囲んで延伸している。スライダー１００と異形材２０２，２０４との間のすき間をふさぐために、同様に内向きにフランジの付いた下面２８，３０が、丸味をおびた側面１４，１６に形成されている。肉あるいは他の食材のような中味を含んでいる再閉式バッグが高圧低温殺菌（ＨＰＰ）装置に置かれ加圧される高圧低温殺菌に先立って、スリーブカバー１０は、成形、接着又は他の取り付け方法により図２に図示するように取り付けられている。その後、スリーブカバーは輸送の前にあるいは消費者によって除去される。
【０００９】
従って、いくつかの前述の目的と利点とが最も効果的に達成されている。本発明における一つの好適な実施形態が詳細に開示し説明されてきたけれども、本発明を限定するものではなく、そして本発明の範囲は特許請求の範囲に規定されている。
【図面の簡単な説明】
【００１０】
【図１】図１は、従来技術における典型的なスライダーの斜視図であって、ジッパーの輪郭一点鎖線で図示してある。
【図２】図２は、図１におけるスライダーをおおって装着された本発明のスリーブカバーの斜視図であって、ジッパーの輪郭は一点鎖線で図示してある。
【符号の説明】
【００１１】
１０    スリーブカバー
１２    上面
１４，１６    側面
１００    スライダー
２００    ジッパー
２０２，２０４    異形材
【図１】
2006175224.tif 000003
【図２】
2006175224.tif 000004